(57)【要約】      （修正有）【課題】緊急情報や気象情報などの番組コンテンツをワンセグ情報として作成し、無人で自動的に携帯端末に送信する免許を必要としない局所的放送を実現する。【解決手段】気象情報や交通情報や災害情報などの特異情報を格納した情報源システムを参照し、映像コンテンツ作成装置と字幕コンテンツ作成装置と音声コンテンツ作成装置とデータ放送作成装置により自動でワンセグ・データ放送を送信するワンセグ放送コンテンツ自動生成装置とし、特に気象情報、道路の通行止め情報、災害情報などに関して、局所的に、さらに即時性に優れた情報伝達を可能とする。【選択図】図１
2009147476.tif 000002
【特許請求の範囲】
【請求項１】
気象情報や交通情報や災害情報などの特異情報を格納した情報源システムを参照し、映像コンテンツ作成装置と字幕コンテンツ作成装置と音声コンテンツ作成装置とデータ放送作成装置により自動でワンセグ・データ放送を送信するワンセグ放送コンテンツ自動生成装置。
【請求項２】
前記映像コンテンツ作成装置は、前記特異情報が発生した座標から地図情報を呼びだし映像コンテンツ１に設定し、また、前記特異情報が発生した箇所のカメラ画像を映像コンテンツ２に設定し、また、文字情報を映像コンテンツ３に設定し、映像コンテンツ１、映像コンテンツ２、及び映像コンテンツ３を交互に表示することを特徴とする、請求項１に記載のワンセグ放送コンテンツ自動生成装置。
【請求項３】
前記字幕コンテンツ作成装置は、前記特異情報の内容を、あらかじめ設定された文法に沿って文章として作成することを特徴とする、請求項１に記載のワンセグ放送コンテンツ自動生成装置。
【請求項４】
前記音声コンテンツ作成装置は、前記特異情報の内容を、あらかじめ設定された文法に沿って音声合成により作成することを特徴とする、請求項１に記載のワンセグ放送コンテンツ自動生成装置。
【請求項５】
前記データ放送作成装置は、前記字幕情報をデータ放送コンテンツ１に設定し、放送中の特異情報に関して利用者からも情報を得られるように、あらかじめ設定された文法に沿って文章として作成されたアンケート文字列をデータ放送コンテンツ２に設定し、地図情報やカメラ画像などの映像情報をデータ放送コンテンツ３に設定し、データ放送コンテンツ１、データ放送コンテンツ２、及びデータ放送コンテンツ３を連続して表示することを特徴とする、請求項１に記載のワンセグ放送コンテンツ自動生成装置。
【発明の詳細な説明】
【技術分野】
【０００１】
本発明はワンセグ放送を利用した放送方法に関し、特に気象情報や災害放送などに関して、局所的なワンセグ放送コンテンツを自動で生成し、携帯端末等へ配信する装置に関する。
【背景技術】
【０００２】
気象情報や災害情報を局所的に、またタイムリーに配信する手段として、従来は例えばミニＦＭ放送局による情報伝達システムがあった（例えば特許文献１を参照）。これは情報センターをキー局とし、ここに集約された各種災害情報を無線ＬＡＮを用いてミニＦＭ局へ送信し、該ミニＦＭ局からそれぞれの周波数の電波で各情報を発信し、ＦＭ受信機で受信する情報伝達システムであった。
【０００３】
また、特定エリア向けの放送を実現する手段としてエリアの分割方法などが提案されている（例えば特許文献２を参照）。これは、地域を等サイズの正六角形に区分し、各エリアの中心に電波塔を設置して放送をするというものであった。
【０００４】
一方、近年では、画像、音声、およびデータ放送を一括して伝送できるワンセグ放送サービスが拡充されている。
【０００５】
地上デジタル放送の中でも、特にワンセグ放送サービスは、今までのＴＶ放送にはなかった双方向性のコミュニケーションが可能になることから大きな注目を集めており、急速な市場拡大を遂げている。また、ワンセグ放送サービスはテレビとしての放送以外にも、身近な携帯情報端末としての機能を生かして、ショッピングセンターやミュージアムなどでのスポット情報配信や、緊急災害放送などへの応用も期待されるなど、コンテンツの充実が求められている。
【０００６】
つまり、データ放送の実現や双方向型サービス、移動体端末向けの放送サービスなど、従来の視聴スタイルとは異なるサービスを活用することにより、今後デジタル放送は放送事業者及び視聴者の双方にとって、極めて有用かつ利便性の高いメディアへと発展していくものと考えられる。
【０００７】
【特許文献１】特開２００７−２９５３４１号公報
【特許文献２】特開２００７−２９５３４１号公報
【発明の開示】
【発明が解決しようとする課題】
【０００８】
前記のようなミニＦＭ局による情報では画像による確認が出来ない事や、また、あくまでも放送局による放送波の送信であって、人の手を介しているため、即時性に欠けるという欠点があった。
【０００９】
また、ワンセグ放送も放送事業者によるものであるため、放送にあたっては免許が必要であり、誰もが簡単に配信する事が出来なかった。さらにコンテンツに関しても番組制作者によって作成されることから、これも即時性に欠けるという欠点があった。
【００１０】
また、ワンセグ受信端末は多種多様化しており、データ放送を見ることができない端末なども存在するため、提供者側が発信している情報を利用者が全て享受することができない場合があるという問題があった。
【課題を解決するための手段】
【００１１】
前記課題を解決するために、本発明は、気象情報や交通情報や災害情報などの特異情報を格納した情報源システムを参照し、映像コンテンツ作成装置と字幕コンテンツ作成装置と音声コンテンツ作成装置とデータ放送作成装置により自動でワンセグ・データ放送を送信するワンセグ放送コンテンツ自動生成装置とする。
【００１２】
また、前記映像コンテンツ作成装置は、前記特異情報が発生した座標から地図情報を呼びだし映像コンテンツ１に設定し、また、前記特異情報が発生した箇所のカメラ画像を映像コンテンツ２に設定し、また、文字情報を映像コンテンツ３に設定し、映像コンテンツ１、映像コンテンツ２、及び映像コンテンツ３を交互に表示することを特徴とするワンセグ放送コンテンツ自動生成装置とする。
【００１３】
また、前記字幕コンテンツ作成装置は、前記特異情報の内容を、あらかじめ設定された文法に沿って文章として作成することを特徴とするワンセグ放送コンテンツ自動生成装置とする。
【００１４】
また、前記音声コンテンツ作成装置は、前記特異情報の内容を、あらかじめ設定された文法に沿って音声合成により作成することを特徴とするワンセグ放送コンテンツ自動生成装置とする。
【００１５】
また、前記データ放送作成装置は、前記字幕情報をデータ放送コンテンツ１に設定し、放送中の特異情報に関して利用者からも情報を得られるように、あらかじめ設定された文法に沿って文章として作成されたアンケート文字列をデータ放送コンテンツ２に設定し、地図情報やカメラ画像などの映像情報をデータ放送コンテンツ３に設定し、データ放送コンテンツ１、データ放送コンテンツ２、及びデータ放送コンテンツ３を連続して表示することを特徴とするワンセグ放送コンテンツ自動生成装置とする。
【発明の効果】
【００１６】
本発明によれば、免許を必要としない微弱電波によるワンセグ放送を用いるため、エリアを限定してコンテンツを配信する事が可能となり、また、該コンテンツは画像、音声、字幕、およびデータ放送の全てにおいて無人で自動的に生成されるため、特に気象情報、道路の通行止め情報、災害情報などに関して、局所的に、さらに即時性に優れた情報伝達が可能となる。
【００１７】
また、本発明によれば、データ放送を見ることができないワンセグ受信端末を持つ利用者であっても、これまでデータ放送として送信されていた各種情報を、映像表示部や字幕表示部や音声合成によって入手することが可能となる。
【実施例】
【００１８】
以下、図面を参照し、本発明の実施形態を説明する。
【００１９】
説明のために、利用者に送信される局所的な情報を特異情報と呼ぶことにする。本発明は、国土全般に渡るような総合的な情報を配信することは想定しておらず、例えば、ある幹線道路の山岳地帯の入り口などで、その先の道路で土砂崩れによる通行止めがあるかどうかといった情報を配信したり、河川敷の住宅地などにおいて、川の水かさが上昇しているといった情報を配信するものであり、局所的に微弱な電波によって情報コンテンツを配信することを想定しているものである。
【００２０】
図１は本発明の一実施形態によるワンセグ放送コンテンツ自動生成装置の構成を示しており、利用者は携帯端末１１５で特異情報を閲覧する。情報源システム１０１は例えば気象庁などが配信する気象情報や、国土交通省などが配信する土砂崩れ・道路通行止め情報などを受信し、蓄積する。
【００２１】
音声コンテンツ作成装置１０３はあらかじめ設定したテンプレートに沿って、情報源システム１０１に蓄積された情報を音声合成し、送信装置である１１３に伝送する。
【００２２】
音声合成の実施例を図３に示す。予めシステム管理者などによってテンプレートが作成される。ここでは３０１のように「Ａ付近でＢが発生しておりＣとなっています」といったテンプレートが設定されているとする。情報源システムから、どこで何が起こり、どうなっているかといった情報３０３、３０５、３０７を取得し、テンプレートに当てはめることにより、意味を持った文章が完成する。これを音声合成装置３０９において音声合成をし、音声データを生成する。
【００２３】
字幕コンテンツ作成装置１０７も前記音声コンテンツ作成装置と同様な処理を行うが、出力されるのは音声データではなく、文字列である。
【００２４】
映像コンテンツ作成装置１０５は、装置周辺の地図データを記録媒体に記録して持っており、まず、通行止めなどの特異情報が発生している箇所を表示する映像コンテンツ１を作成する。次に、監視カメラ等により得られる現地の映像を映像コンテンツ２として一定時間分を作成する。次に、特異情報の位置や規模やそれに付随する通行止め情報などの文字情報を映像コンテンツ３として作成する。次に、映像コンテンツ１と映像コンテンツ２と映像コンテンツ３を交互に表示するよう画像を生成し、送信装置である１１３に伝送する。
【００２５】
前記映像コンテンツ作成手順を図４に示す。地図データ４０５および座標４０７によって映像コンテンツ１が作成され、監視カメラの映像４０９によって映像コンテンツ２が作成され、字幕情報４１１によって映像コンテンツ３が作成され、ＳＷによって映像コンテンツ１、映像コンテンツ２、映像コンテンツ３が交互に表示されるように映像が作成される。
【００２６】
データ放送用コンテンツ作成装置１０９は、前記字幕コンテンツと同一の文字列をデータ放送コンテンツ１とし、現在送信中の特異情報に関して、例えば道路情報なら、渋滞しているかいないか、河川情報なら、水かさが上昇しているかいないか、気象情報なら雨を強いと感じるかどうか、といったアンケート形式の質問文章の文字列をデータ放送コンテンツ２とし、現在映像画面において表示している地図やカメラ映像などに関連した映像をデータ放送コンテンツ３とし、データ放送コンテンツ１とデータ放送コンテンツ２とデータ放送コンテンツ３を表示するよう、送信装置である１１３に伝送する。
【００２７】
前記データ放送用コンテンツ作成手順を図５に示す。字幕コンテンツ文字列５０１をデータ放送コンテンツ１とし、アンケート文字列５０３をデータ放送コンテンツ２とし、地図画像やカメラ画像などの映像情報５０９をデータ放送コンテンツ３とし、データ放送コンテンツ１とデータ放送コンテンツ２とデータ放送コンテンツ３を送信装置である１１３に伝送する。
【００２８】
アンケート文字列の作成手法の一例を図６に示す。特異情報が道路情報であれば、渋滞の有無を問う文字列を作成し、河川情報であれば、水かさの上昇の有無を問う文字列を作成し、気象情報であれば、雨量の強さを問う文字列を作成し、また、現在表示している情報が必要なものか不要なものかを問う文字列を作成し、また、現在表示している情報が利用者にとって必要なものであったかどうかを問う文字列を作成する。
【００２９】
以上説明したことをフローチャートとして図２に示す。情報源システムに気象庁や国土交通省が発信する情報を蓄積する（Ｓ２０１）。該情報を取得し終えたら（Ｓ２０３）緊急性の高い情報かどうかを判定する（Ｓ２０５）。以降、前述した内容でコンテンツを自動生成するが、緊急性がある場合は、Ｓ２０９に示すように利用者の現在地に関わらず生成することとし、緊急性がない場合は、Ｓ２１１に示すように利用者の現在地に関する事象のみを生成する。
【００３０】
なお、特異情報が複数存在した場合（Ｓ２０７）には、図７に示す例のように、優先順位に沿ってコンテンツを生成する。
【００３１】
つまり、情報源システムより取得した特異情報７０１に関して、あらかじめ利用者によって設定された興味のある事象であるかどうか７０３、特異情報の発生している範囲の広さ７０５、気象庁や国土交通書が発する情報の緊急度７０７のそれぞれの要素に対して、重み付け７０９〜７１３の係数Ｗ１〜Ｗ３を乗じ、その総和を優先係数とし、優先係数の大きさ順にコンテンツを作成する。
【００３２】
図８、図９、図１０に実際に受信端末でどのように情報が表示されるかの一例を示す。図８は映像コンテンツ３と字幕情報とデータ放送コンテンツ１とデータ放送コンテンツ３を表示している。また、図９は映像コンテンツ１と字幕情報とデータ放送コンテンツ１とデータ放送コンテンツ３を表示している。また、図１０は映像コンテンツ２と字幕情報とデータ放送コンテンツ１とデータ放送コンテンツ３を表示している。
【００３３】
これらはある瞬間での表示画面であり、実際には、例えば映像コンテンツ表示部には映像コンテンツ１と映像コンテンツ２と映像コンテンツ３は任意の組み合わせで交互に表示されている。
【００３４】
本実施例では気象庁や国土交通省の発する情報を例として取り上げたが、特異情報の内容はこれらに限定するものではない。
【００３５】
また、音声コンテンツ作成装置は、音声合成に限らず、あらかじめ記憶装置に複数の音声を記憶しておき、それらをつなぎ合わせて作成してもよい。
【００３６】
また、映像コンテンツ作成装置は、映像コンテンツ１と映像コンテンツ２と映像コンテンツ３を例として取り上げたが、これらの全てが必須ということではなく、映像の内容はこれらに限定するものではない。
【００３７】
また、データ放送用コンテンツ作成装置は、データ放送コンテンツ１とデータ放送コンテンツ２とデータ放送コンテンツ３を例として取り上げたが、これらの全てが必須ということではなく、データ放送の内容はこれらに限定するものではない。
【図面の簡単な説明】
【００３８】
【図１】ワンセグ放送コンテンツ自動生成システムの構成図
【図２】処理フローチャート
【図３】音声コンテンツ作成装置の処理手順
【図４】映像コンテンツ作成装置の処理手順
【図５】データ放送コンテンツ作成装置の処理手順
【図６】アンケート文字列の作成手段
【図７】特異情報が複数あった場合の優先順位の決定手段
【図８】端末における情報の表示例１
【図９】端末における情報の表示例２
【図１０】端末における情報の表示例３
【符号の説明】
【００３９】
１０１…情報源システム、  １０３…音声コンテンツ作成装置、
１０５…映像コンテンツ作成装置、  １０７…字幕コンテンツ作成装置、
１０９…データ放送用コンテンツ作成装置、
１１１…コンテンツ作成装置、
１１３…多重化、再多重化、ＯＦＤＭ変調装置（送信部）、
１１５…利用者の携帯端末、
３０１…音声合成のテンプレート、  ３０３…場所情報、
３０５…事象情報、  ３０７…作用情報、  ３０９…音声合成装置、
４０１…映像コンテンツ１、  ４０３…映像コンテンツ２、
４０５…地図データ、  ４０７…特異情報の座標、
４０９…監視カメラの映像、  ４１１…字幕情報、
４１３…映像コンテンツ３、
５０１…字幕コンテンツ文字列、  ５０３…アンケート文字列、
５０５…データ放送コンテンツ１、  ５０７…データ放送コンテンツ２、
５０９…映像情報、  ５１１…データ放送コンテンツ３、
７０１…情報源システムより取得した特異情報、
７０３…優先判定要素１、  ７０５…優先判定要素２、  ７０７優先判定要素３、
７０９〜７１３…重み付け計数
【図１】
2009147476.tif 000003
【図２】
2009147476.tif 000004
【図３】
2009147476.tif 000005
【図４】
2009147476.tif 000006
【図５】
2009147476.tif 000007
【図６】
2009147476.tif 000008
【図７】
2009147476.tif 000009
【図８】
2009147476.tif 000010
【図９】
2009147476.tif 000011
【図１０】
2009147476.tif 000012